(57)【特許請求の範囲】
【請求項１】
機器を支える複数の支持脚を据え付け面に埋設されたアンカーボルトを介して固定する機器据付装置であって、
前記支持脚は、
前記機器底部と連接された角柱部と、
前記角柱部の底部に一体的に設けられ少なくとも一側に延設される脚底板と、
前記アンカーボルトが挿通されるアンカー挿通孔を有した基部と、該基部から一体に立ち上げられた立ち上げ片とを有した固定金具と、
前記立ち上げ片を前記角柱部の背面に締結する締結部材と、
前記固定金具の基部を前記アンカーボルトに固定する固定部材と、
前記角柱部の一側壁面に設けられ前記締結部材を挿通する脚側締結孔と、
を備え、
前記固定金具をＬ字状金具とすると共に、前記脚底板の一側にアンカーボルトが挿通されるアンカー用切り欠き部を設け、
前記脚底板のアンカー用切り欠き部と前記Ｌ字状金具基部のアンカー挿通孔に前記アンカーボルトを挿通し、前記Ｌ字状金具の基部と据え付け面との間に前記脚底板を挟み込んで該基部を前記固定部材と前記アンカーボルトとで固定すると共に、前記固定金具の立ち上げ片を前記角柱部の脚側締結孔に前記締結部材を挿通して締結することにより、前記機器を支持固定する機器据付装置。
【請求項２】
機器を支える複数の支持脚を据え付け面に埋設されたアンカーボルトを介して固定する機器据付装置であって、
前記支持脚は、
前記機器底部と連接された角柱部と、
前記角柱部の底部に一体的に設けられ少なくとも一側に延設される脚底板と、
前記アンカーボルトが挿通されるアンカー挿通孔を有した基部と、該基部から一体に立ち上げられた立ち上げ片とを有した固定金具と、
前記立ち上げ片を前記角柱部の背面に締結する締結部材と、
前記固定金具の基部を前記アンカーボルトに固定する固定部材と、
前記角柱部の一側壁面に設けられ前記締結部材を挿通する脚側締結孔と、
を備え、
前記固定金具は、その中央部が前記一側に直交する方向に前記脚底板を跨ぎ、中央部の両端にそれぞれ前記アンカー挿通孔を有した基部を備えると共に、中央部から一体に立ち上げ片を設けた構成とし、
前記固定金具の中央部と据え付け面との間に前記脚底板を挟み込んで、前記基部をそれぞれ前記固定部材と前記アンカーボルトとで固定すると共に、前記固定金具の立ち上げ片を前記角柱部の脚側締結孔に前記締結部材を挿通して締結することにより、前記機器を支持固定する機器据付装置。
【請求項３】
前記固定金具の立ち上げ片の前記脚側締結孔に対向する位置に、前記締結部材の一部を構成するボルトまたはナットが固着されていることを特徴とする請求項２記載の機器据付装置。
【請求項４】
前記締結部材は、ボルトとナットと座金で構成されていることを特徴とする請求項１〜３のいずれか一項に記載の機器据付装置。
【請求項５】
前記機器は、貯湯式給湯装置であることを特徴とする請求項１〜４のいずれか一項に記載の機器据付装置。
【発明の詳細な説明】
【技術分野】
【０００１】
本発明は、機器を支える複数の支持脚を据え付け面に埋設されたアンカーボルトを介して固定する機器据付装置に関するものである。
【背景技術】
【０００２】
従来より、この種の機器据付装置においては、特許文献１に開示されているごとく、貯湯式給湯装置の温水タンクを支える複数の支持脚のうち、機器背面側支持脚の底部が予め据え付け面にアンカーボルトで固定された据付固定金具と据え付け面の隙間に挟まれるよう機器をズリ押して、機器正面側の支持脚をアンカーボルト止めして設置するようにしたものがあった。
【０００３】
また、特許文献２に開示されているごとく、温水タンクを支える複数の支持脚を据え付け面に埋設されたアンカーボルトと座金およびナットで固定したもので、機器背面側支持脚の底部上面に座金の移動を規制する突起部を設けたものがあった。
【先行技術文献】
【特許文献】
【０００４】
【特許文献１】特開２００１−４１５９０号公報
【特許文献２】特開２００５−１２７６７０号公報
【発明の概要】
【発明が解決しようとする課題】
【０００５】
ところが、この特許文献１のものでは、地震等による機器前後方向の揺れが大きくなると、機器背面側の支持脚が据付固定金具から外れてしまう可能性があった。
【０００６】
一方で、特許文献２のものでは、狭小地設置時には機器背面側の支持脚を固定することができず、特許文献１のもののように予め固定した据付固定金具に係合するようにズリ押して設置しようにも、支持脚の底部上面の突起部があるために突起分だけ据え付け面と据付固定金具の間の隙間を高くせざるを得ず、結局は特許文献１と同じように、機器背面側の支持脚が据付固定金具から外れてしまう可能性があった。
【０００７】
そこで、本発明は、耐震強度を高めた上で狭小地でズリ押し設置も可能とし、かつ支持脚を狭小地用と通常設置用とで共用可能な機器据付装置を提供することを目的とする。
【課題を解決するための手段】
【０００８】
本発明は上記課題を解決するため、請求項１では、機器を支える複数の支持脚を据え付け面に埋設されたアンカーボルトを介して固定する機器据付装置であって、前記支持脚は、前記機器底部と連接された角柱部と、前記角柱部の底部に一体的に設けられ少なくとも一側に延設される脚底板と、前記アンカーボルトが挿通されるアンカー挿通孔を有した基部と、該基部から一体に立ち上げられた立ち上げ片とを有した固定金具と、前記立ち上げ片を前記角柱部の背面に締結する締結部材と、前記固定金具の基部を前記アンカーボルトに固定する固定部材と、前記角柱部の一側壁面に設けられ前記締結部材を挿通する脚側締結孔と、を備え、前記固定金具をＬ字状金具とすると共に、前記脚底板の一側にアンカーボルトが挿通されるアンカー用切り欠き部を設け、前記脚底板のアンカー用切り欠き部と前記Ｌ字状金具基部のアンカー挿通孔に前記アンカーボルトを挿通し、前記Ｌ字状金具の基部と据え付け面との間に前記脚底板を挟み込んで該基部を前記固定部材と前記アンカーボルトとで固定すると共に、前記固定金具の立ち上げ片を前記角柱部の脚側締結孔に前記締結部材を挿通して締結することにより、前記機器を支持固定するようにした。
【００１０】
また、請求項２では、機器を支える複数の支持脚を据え付け面に埋設されたアンカーボルトを介して固定する機器据付装置であって、前記支持脚は、前記機器底部と連接された角柱部と、前記角柱部の底部に一体的に設けられ少なくとも一側に延設される脚底板と、前記アンカーボルトが挿通されるアンカー挿通孔を有した基部と、該基部から一体に立ち上げられた立ち上げ片とを有した固定金具と、前記立ち上げ片を前記角柱部の背面に締結する締結部材と、前記固定金具の基部を前記アンカーボルトに固定する固定部材と、前記角柱部の一側壁面に設けられ前記締結部材を挿通する脚側締結孔と、を備え、前記固定金具は、その中央部が前記一側に直交する方向に前記脚底板を跨ぎ、中央部の両端にそれぞれ前記アンカー挿通孔を有した基部を備えると共に、中央部から一体に立ち上げ片を設けた構成とし、前記固定金具の中央部と据え付け面との間に前記脚底板を挟み込んで、前記基部をそれぞれ前記固定部材と前記アンカーボルトとで固定すると共に、前記固定金具の立ち上げ片を前記角柱部の脚側締結孔に前記締結部材を挿通して締結することにより、前記機器を支持固定するようにした。
【００１１】
また、請求項３では、前記固定金具の立ち上げ片の前記脚側締結孔に対向する位置に、前記締結部材の一部を構成するボルトまたはナットが固着されているものとした。
【００１２】
また、請求項４では、前記締結部材は、ボルトとナットと座金で構成されているものとした。
【００１３】
また、請求項５では、前記機器は、貯湯式給湯装置であるものとした。
【発明の効果】
【００１４】
このように、本発明によれば、耐震強度を高めた上で狭小地等でズリ押し設置も可能とすることができた。
【図面の簡単な説明】
【００１５】
【図１】本発明の一実施形態の貯湯式給湯装置の断面図
【図２】同一実施形態の貯湯タンク底部付近の要部分解斜視図
【図３】同一実施形態の据付装置の要部分解斜視図
【図４】同一実施形態の据付装置の要部分解斜視図
【発明を実施するための形態】
【００１６】
次に、本発明の一実施形態である貯湯式給湯装置の据付装置を図面に基づいて説明する。
図１は本発明の貯湯式給湯装置の断面図で、１は貯湯タンク、２は貯湯タンク１を囲う外装体、３は貯湯タンク１底部に給水する給水管、４は貯湯タンク１頂部から給湯する給湯管、５は機器正面側に設けられて正面側から一段奥まった位置に設けられて給水管３と給湯管４とを外部配管に接続するための配管接続部である。
【００１７】
図２は貯湯タンク１底部付近の要部分解斜視図で、６は貯湯タンク１を複数箇所で支持し外装体２の底板２ａに固定する支持脚上、７は底板２ｂの下部であって支持脚上６に対応する位置に複数設けられ、貯湯タンク１を支持固定する支持脚本体であり、支持脚上６と支持脚７とは底板２ａを挟んでボルトとナットとで締結されるものである。
【００１８】
ここで、支持脚上６は１２０度間隔で貯湯タンク１底部付近に接続されて３本設けられ、これに合わせて支持脚７は機器正面側に１本、背面側に２本、計３本設けられているものである。
【００１９】
図３は据付装置の要部分解斜視図および組み付け状態での要部斜視図で、支持脚７本体は、機器正面側が開放された角柱状の角柱部７１と、角柱部７１の底部に溶接やカシメ等により一体的に設けられ長手方向を機器前後方向に延出した脚底板７２と、基部８１から一体的に連続して立ち上げられた立ち上げ片８２とを有した断面Ｌ字状の固定金具８と、で構成されている。
【００２０】
支持脚７の角柱部７１の機器背面側壁面には、固定金具８の立ち上げ片８２を締結部材９を介して締結するための脚側締結孔７３が開口されている。
脚底板７２の機器正面側には機器正面側の据え付け面に埋設された固定用のアンカーボルト１０が挿通されるアンカー穴７４が開口され、脚底板７２の機器背面側には機器背面側の据え付け面に埋設された固定用のアンカーボルト１０が挿通されるＵ字切り欠き状のアンカー用切り欠き部７５が開口されている。
脚底板７２は短手方向の両端が折り返されて折り返し部７６を形成し、脚底板７２と角柱部７１との接続面となっていると共に、脚底板７２の曲げ剛性を高めている。
【００２１】
固定金具８の基部８１には、固定金具８を支持脚７に組み付けた際の脚底板７２のアンカー用切り欠き部７５に対応する位置にアンカーボルト１０が挿通されるアンカー挿通孔８３が開口され、固定金具８の立ち上げ片８２には、固定金具８を支持脚７に組み付けた際の角柱部７１の脚側締結孔７３に対応する位置に締結部材９が挿通する金具側締結孔８４が開口されている。
【００２２】
締結部材９は、ボルト９１とナット９２と角座金９３とで構成されており、固定部材１１は、アンカーボルト１０に対応するナット１１１と角座金１１２とで構成されている。  
【００２３】
そして、据え付け作業時は、据え付け面に予め埋設された複数のアンカーボルト１０に機器正面側の支持脚７のアンカー穴７４と機器背面側の支持脚７のアンカー用切り欠き部７５とが対応する位置に貯湯式給湯装置を設置し、機器正面側の支持脚７の脚底板７２を据え付け面と角座金１１２とで挟み込み、アンカー穴７４を挿通したアンカーボルト１０にナット１１１を締め付けて固定する。
【００２４】
また、機器背面側の支持脚７の脚底板７２のアンカー用切り欠き部７５を挿通したアンカーボルト１０に、固定金具８１の基部８１に開口されているアンカー挿通孔８３を挿通させ、固定金具８１の基部８１の上面に角座金１１２を介してアンカーボルト１０にナット１１１を締め付けると共に、支持脚７の角柱部７１の脚側締結孔７３と固定金具８１の立ち上げ片８２の金具側締結孔８４とを介して、立ち上げ片８２側からボルト９１を挿通し、角柱部７１側から角座金９３を介在させてナット９２をボルト９１に締め付けることで、背面側の支持脚７をより強固に固定することができる。
【００２５】
そして地震等の大きな振動があった場合は、機器背面側の支持脚７の角柱部７とアンカーボルト１０とが固定金具８と締結部材９によって連結されるため、機器背面側の支持脚７がアンカーボルト１０から外れることを防止して、従来より高い耐震性能を得ることができたものである。
【００２６】
また、ここでは機器背面側の支持脚７の脚底板７２のアンカー用切り欠き部７５をアンカー固定したものを説明したが、機器背面側の支持脚７の機器正面側の脚底板７２に設けられているアンカー穴７４でアンカー固定することも可能である。この場合、固定金具８を用いることなく強固に固定することができる。
【００２７】
次に、メーターボックス等の狭小地に設置する場合について説明する。
図３の据付装置と異なる部分としては、図４において示すように、固定金具として据付固定金具１２を用いている。
【００２８】
この据付固定金具１２は、中央部１２１が脚底板７２を跨ぎ、中央部１２１の両端から立ち下がり部１２２を介して据え付け面高さ位置の両端にアンカー挿通孔１２３を有した基部１２４が設けられていると共に、中央部１２１の機器正面側端部には一体的に連続して立ち上げられた立ち上げ片１２５が設けられているものである。
【００２９】
据付固定金具１２の立ち上げ片１２５には、据付固定金具１２に支持脚７が組み付けられた際の角柱部７１の脚側締結孔７３に対応する位置に締結部材９のボルト９１が予め溶接等によって固着されている。なお、据付固定金具１２の立ち上げ片１２５に締結部材９のナット９２を予め溶接等によって固着するようにしてもよい。
【００３０】
なお、ここでは支持脚７の脚底板７２のアンカー用切り欠き部７５に代えて、長穴状のアンカー用穴部としてもよいものである。
【００３１】
そして、据え付け作業時は、据え付け面に予め埋設された２本のアンカーボルト１０に据付固定金具１２の両端の基部１２４のアンカー挿通孔１２３をそれぞれ挿通させ、基部１２４の上面に角座金１１２を介してアンカーボルト１０にナット１１１をそれぞれ締め付けて、据付固定金具１２を据え付け面に固定しておく。
【００３２】
次に、貯湯式給湯装置の正面側を持ち上げて機器背面側へズリ押し、据付固定金具１２の中央部１２１の下方に機器背面側の支持脚７の脚底板７２を挿入係合させると共に、据付固定金具１２の立ち上げ片１２５のボルト９１が角柱部７１の脚側締結孔７３に挿入させ、機器正面側の支持脚７のアンカー穴７４に対応するアンカーボルト１０を挿通させるように据え付け面に載置する。
【００３３】
そして、据付固定金具１２の立ち上げ片１２５の締結部材９の一方（ここではボルト９１）に、機器背面側支持脚７の角柱部７１の正面側から角座金９３を介在させて締結部材９の他方（ここではナット９２）を締め付け、機器正面側支持脚７の脚底板７２を据え付け面と角座金１１２とで挟み込み、アンカー穴７４を挿通したアンカーボルト１０にナット１１１を締め付けて固定する。
【００３４】
このように、狭小地にズリ押し設置をする場合でも、機器背面側の支持脚７をより強固に固定することができる。しかも、ズリ押し設置する際に、据付固定金具１２の立ち上げ片１２５に締結部材９の一方（ここではボルト９１）が予め固定されているため、機器正面側からだけの作業で固定することができ、作業のしやすさも確保できるものである。
【００３５】
そして地震等の大きな振動があった場合は、機器背面側の支持脚７においては強固に据え付け面に固定された据付固定金具１２の中央部１２１が剛性の高い脚底板７２の折り返し部７６を押さえつけて、機器の正面側への転倒を押さえると共に、機器背面側の支持脚７の角柱部７と据付固定金具１２を固定するアンカーボルト１０とが据付固定金具１２の立ち上がり部１２２と締結部材９を介して連結されるため、機器背面側の支持脚７がアンカーボルト１０から外れることを防止して、従来より高い耐震性能を得ることができたものである。
【００３６】
このように、本発明によれば、耐震強度を高めた上で狭小地でズリ押し設置も可能とした。
【００３７】
また、支持脚７の脚底板７２にアンカー用切り欠き部７５を設けていれば、狭小地用と通常設置用とで機器側の支持脚７の構造を全く変えることなく支持脚７を共用することができるものである。
【００３８】
本発明は上記の実施形態に限定されることなく、要旨を変更しない範囲で改変可能なものであり、機器として貯湯式給湯装置に限定されるものではない。
【符号の説明】
【００３９】
７  支持脚
７１  角柱部
７２  脚底板
７３  脚側締結孔
７４  アンカー穴
７５  アンカー用切り欠き部
７６  折り返し部
８  Ｌ字状金具（固定金具）
８１  基部
８２  立ち上げ片
８３  アンカー挿通孔
８４  金具側締結孔
９  締結部材
９１  ボルト
９２  ナット
９３  角座金
１０  アンカーボルト
１１  固定部材
１１１  ナット
１１２  角座金
１２  据付固定金具（固定金具）
１２１  中央部
１２２  立ち下がり部
１２３  アンカー挿通孔
１２４  基部
１２５  立ち上げ片
【図１】
0005846951.tif 000002
【図２】
0005846951.tif 000003
【図３】
0005846951.tif 000004
【図４】
0005846951.tif 000005